(57)【特許請求の範囲】
【請求項１】
ボトルを逐次排出可能に且つ多列に整列吊下し各列からボトルを自動放出させ下方へ導いて収集するボトル払出装置と、薬品類を収容する多数の収納容器を前方へ引出可能な状態で縦横に並べて保持し後方配設の開駆動機構にて前進させる薬品類収納装置とが並設された薬品類払出システムであって、前記薬品類収納装置に作業台が付設され、その作業台の一部を切欠いた形で落し込み空間が形成され、その落し込み空間に秤量計が設置され、前記ボトル払出装置で払い出されたボトルを前記落し込み空間へ送り込む搬送機構が設けられ、前記薬品類収納装置には後退状態の前記収納容器のうち複数のものの前を通過する送光を行う送光部材が設けられ、その送光を受けるとそれを前方へ向ける視覚化手段が前記薬品類収納装置の前記収納容器それぞれの前端部に形成され又は付設されていることを特徴とする薬品類払出システム。
【発明の詳細な説明】
【技術分野】
【０００１】
この発明は、病院薬局等における調剤業務を支援するためのボトルフィーダ，これを多数保持するボトル払出装置，及び異種装置を並設した薬品類払出システムに関し、詳しくは、ボトルを整列吊下しておき端から順に排出するボトルフィーダ，ボトルを自動で払い出すボトル払出装置，及びボトルをボトル払出装置から自動で払い出したりボトル等の薬品類を薬品類収納装置から半自動で払い出したりする薬品類払出システムに関する。
【０００２】
この発明は、液剤や，輸液，生理食塩水，蒸留水などを収容密封したボトル（瓶状容器）を取扱対象として処方に応じた自動排出・自動払出を行うのに好適なものであるが、特に縊れのあるボトルを取り扱うようになっており、ボトルの整列保持に関し、ボトルの縊れを利用してボトルを吊り下げるようになっている。縊れは栓や蓋をボトル本体に装着した状態で存在していれば良い。また、本明細書における薬品類は、ボトル入りのものに限定される訳でなく、ＰＴＰ包装された薬剤や、アンプル・バイアル・造影剤等の容器入り注射薬、箱・チューブ等の容器に収容された錠剤・散剤・軟膏・目薬等の医薬品、その他の補助薬品等も、整列収納可能・不可能や落下排出可能・不可能に拘わらず、該当する。
【背景技術】
【０００３】
収納対象を薬品類に限らなければ、分別保管機能の付いた収納庫の典型例として、収納部が多数の区画室に区切られて各々の区画室に扉が着いている汎用のロッカーや設備用物品台などが挙げられる。
収納対象が薬品類の場合、アンプル剤等の薬品をカセットに整列収納しておきワンタッチで出し入れできるようになった薬品収納装置が知られている（例えば特許文献１参照）。これは、出し入れ対象のカセット位置をＬＥＤ等で案内表示し、薬品類の取出は人手で摘んで行うようになっている。
【０００４】
また、散薬を収納した瓶を光らせることにより取出対象位置の案内表示を行うようになった薬品棚も知られている（例えば特許文献２参照）。
さらに、そのような位置案内表示が要らないほど大きく扉や引出箱を開けるようになった薬品類収納装置も知られている（例えば特許文献３参照）。これは、分別保管中の薬品類の選択に加えて開動作まで自動で行うので、所望の薬品類の在処が一目瞭然になると同時にその薬品類を取り出せる状態になるため、好評を博している。
【０００５】
収納に加えて自動払出も考慮すると、カセットの前端に半円筒の可動蓋を設け、これを軸回転させることにより、薬品類の排出を自動で行えるようになった薬品払出装置も、実現されている（例えば特許文献４参照）。これには、カセットの薬品類排出口から収納薬品類を取り出して所定の位置に搬送する払出搬送機構が組み込まれている。
さらに、カセットから排出された薬剤を水平移動させる薬剤搬送装置と、薬剤を落下させて収集する落下案内部材と、収集薬剤の投入位置へ搬器を移送する搬器搬送装置を備えた薬剤払出装置も開発されている（例えば特許文献５参照）。
【０００６】
また、各種の注射薬を水平なカセットに整列収納しておき、ゲートを開閉することによりカセットから注射薬を排出させ、排出された注射薬をシュータにて落下させることにより排出口に導く注射薬調剤機も開発されている（例えば特許文献６参照）。この調剤機では、輸液ボトルもアンプルやバイアルと同じくカセットに整列収納される。
このようなカセットや払出装置により、各種のボトル・薬剤・薬品類を整列収納しておき所望のものを自動で排出させ更に収集して払い出せるようになっている。
【０００７】
【特許文献１】特開２００１−１９８１９４号公報  （図５、図１１）
【特許文献２】特開２００４−１４８０３６号公報  （第１頁、図４）
【特許文献３】特開２００４−１８７９５８号公報  （第１頁、図３）
【特許文献４】特開２００４−２７５５５０号公報  （第１頁）
【特許文献５】特開２００４−３４４４２０号公報  （第１頁）
【特許文献６】特開平０６−２７８８１７号公報    （第１頁）
【発明の開示】
【発明が解決しようとする課題】
【０００８】
しかしながら、薬品類のうち輸液ボトルのようにＰＴＰ包装剤やアンプル等より嵩張るものの場合、整列保持に際して従来の如くボトルのほぼ全体を収納させ得るカセットを用いていたのでは、カセットが大きくて、部材費が嵩む。そのため、カセットを最早カセットと呼ぶのが相応しくなくなるほど小形化・スリム化することにより、コスト削減やコンパクト実装を達成することが望まれる。
また、コスト削減やコンパクト実装のためには、ボトルを必要なときだけ的確に排出することのできる排出機構を簡素な構造で実現することも求められる。
そこで、ボトル整列保持部のスリム化および簡素化を図ると共に、それに見合ってコンパクト且つ簡素になるよう排出機構の構造にも工夫を凝らすことが、ボトルフィーダ及び自動のボトル払出装置の技術課題となる。
【０００９】
一方、半自動の薬品類収納装置についてみると、上述の利便性すなわち多くの薬品類を分別保管しておき取出は手動でも対象の選択および開動作は自動で行うことの利便性が認知されたため、適用希望範囲が広がり、例えば使用頻度の多い薬品類だけでなく使用頻度の少ないものまで含めて多くの薬品類を取り扱いたいという要請が生じた。
しかしながら、従来の薬品類収納装置では、引出箱を一目瞭然なほど大きく開けることができるよう開駆動機構に永久磁石と電磁コイルとの組み合わせからなる特別な機構を採用しているので、開駆動機構の単価低減が難しい。
【００１０】
そのため、例えば小さな引出を縦横に多数並べて収納容器の個数を従来より増やすと、開駆動機構の個数も同じだけ増えて、装置価格がアップしてしまう。収納容器の単価は小形化で下げられても、それを引出方向に前進させる距離すなわち駆動距離が変わらなければ開駆動機構の原価はさほど下がらないのである。
そうすると、原価低減を図るには、開駆動機構の駆動距離を短縮するのが近道であり、そうすれば開駆動機構を例えば量産品で安価な電動モータやカム等で構成することができる。
【００１１】
もっとも、開駆動機構の駆動距離が短くなると、取出対象の開動作すなわち対象薬品類収容中の収納容器の前進が自動で行われてもその収納容器が十分に目立つとは言えなくなるため、取出対象位置の案内表示を併用することが望まれ、それによるコストアップが開駆動機構のコストダウンを食い潰す。
取出対象位置の案内表示については、縦や横の並びで発光部材を共用することにより発光部材の必要個数を収納容器より少なくして原価低減を図るという手立てもあるが（例えば特許文献１図１１参照）、その従来手法では、収納容器それぞれのところが光る訳でない。
【００１２】
一方、収納容器と同数の発光部材を具備して収納容器と一対一に配置した場合（例えば特許文献１図５や特許文献２参照）、収納容器それぞれのところが光るので、視認性には優れるが、コストダウンが難しい。
そこで、薬品類収納装置の原価低減のため、開駆動機構の駆動距離の短縮を容認するとともに、発光部材の個数を収納容器より少なく抑えたうえで、駆動距離が短くなっても収納容器の自動前進は維持されていることを利用して発光部材が少数でも収納容器それぞれのところが光るように改造することが薬品類収納装置の技術課題となる。
【００１３】
ところで、規模の大きな病院や薬局では、各種の調剤機を並設するとともに所要の薬剤を人手で収集したり各々の搬送機構を繋げたりして調剤システムを構築している。
しかしながら、ボトル入りに限っても薬品類の種類は多く、さらに、ボトル入りの輸液などとセットで処方や施用される薬剤も考慮すると、ボトルと共に調剤すべき薬剤や医材等の種類は膨大であり、それら総てを自動のボトル払出装置に実装するのはコスト負担が過大となる。そのため、使用頻度の高いボトル等は特許文献５記載のような自動装置に実装されるが、そのような自動装置に実装されない多くの非実装薬品類は、手動の薬品棚等に収納されていた。この事情は、使用頻度の高い薬品類を特許文献３記載のような半自動の薬品類収納装置に実装した場合も、同じである。
【００１４】
そこで、限られた予算の中で出来るだけ多くの薬品類を調剤機に実装することができるよう、自動のボトル払出装置と半自動の薬品類収納装置とに実装を分担させるとともに何れの装置もコストダウンすることが薬品類払出システムの第１技術課題となる。
また、実装を分担し合う自動のボトル払出装置と半自動の薬品類収納装置とからボトルを含む薬品類を払い出す作業や監査する作業が行い易いよう、両装置を連携させるとともに便利な作業場所を確保することが薬品類払出システムの第２技術課題となる。
【課題を解決するための手段】
【００１５】
本発明のボトルフィーダ及びボトル払出装置は（解決手段１）、上述したボトルフィーダ及び自動のボトル払出装置の技術課題を解決するために創案されたものであり、ボトルに吊り下げ利用可能な縊れがあることを前提として、それを利用することにより、整列保持を整列吊下で行い、逐次排出（順次排出）を排出部材の半円筒状部の周回運動（排出部材の軸回転）にて行うようになったものである。そして、それらの部材を単体で纏めるとボトルフィーダになり（請求項１）、そのフィーダを多数並べて収集払出機構と組み合わせるとボトル払出装置になる（請求項２）。
【００１６】
具体的には、ボトルの縊れを遊挿することによりボトルを吊下状態で整列させうる傾斜路を対向端部の間に形成している板枠と、この板枠の排出側端部に付設された電動モータと、前記傾斜路の排出側端部に臨む半円筒状部を有し且つ前記モータの回転出力軸に連結された排出部材とを備え、常態では前記半円筒状部を排出側にして前記半円筒状部の内凹部にて前記傾斜路の中の先頭ボトルを受け止め、作動時には、前記モータの回転駆動によって前記半円筒状部が前記先頭ボトルを周回することにより、前記先頭ボトルを前記内凹部から解放して前記傾斜路から排出するようになっている。
【００１７】
また、本発明の薬品類払出システムは（解決手段２、出願当初の請求項３，４）、上述した第１技術課題（これには薬品類収納装置の技術課題とボトル払出装置の技術課題も含まれる）を解決するために創案されたものであり、
ボトルを逐次排出（順次排出）可能に且つ多列に整列吊下し各列からボトルを自動放出させ下方へ導いて収集するボトル払出装置と、薬品類を収容する多数の収納容器を前方へ引出可能な状態で縦横に並べて保持し後方配設の開駆動機構にて前進させる薬品類収納装置とが並設された薬品類払出システムであって、
前記ボトル払出装置は、ボトルの整列維持と整列前進とを板枠の対向端部の間の傾斜路への吊り下げで行い、ボトルの逐次排出を排出部材の半円筒状部の周回運動にて行うものであり、
前記薬品類収納装置は、後退状態の前記収納容器のうち複数のものの前を通過する送光を行う送光部材が設けられ、その送光を受けるとそれを前方へ向ける視覚化手段が前記収納容器それぞれの前端部に形成され又は付設されている、というものである。
【００１８】
さらに、本発明の薬品類払出システムは（解決手段３、出願当初の請求項３，５）、上述した第２技術課題を解決するために創案されたものであり、
ボトルを逐次排出可能に且つ多列に整列吊下し各列からボトルを自動放出させ下方へ導いて収集するボトル払出装置と、薬品類を収容する多数の収納容器を前方へ引出可能な状態で縦横に並べて保持し後方配設の開駆動機構にて前進させる薬品類収納装置とが並設された薬品類払出システムであって、前記薬品類収納装置に作業台が付設され、その作業台の一部を切欠いた形で落し込み空間が形成され、その落し込み空間に秤量計が設置され、前記ボトル払出装置で払い出されたボトルを前記落し込み空間へ送り込む搬送機構が設けられている、というものである。
【発明の効果】
【００１９】
このような本発明のボトルフィーダ及びボトル払出装置にあっては（解決手段１）、ボトルに縊れがあることを利用して、ボトルの縊れが傾斜路に遊挿され、それが繰り返されてボトルが吊下状態で整列させられる。傾斜路に整列吊下されたボトルは傾斜路を滑り落ちて排出側端部に向かって進むが、傾斜路の排出側端部には排出部材の半円筒状部が臨んでおり、常態では、その半円筒状部を排出側にしてその内凹部にて傾斜路の中の先頭ボトルを受け止めるようになっているので、ボトルは、板枠によって整列保持され、その状態に維持される。
【００２０】
そして、排出機構の作動時には、電動モータによって排出部材が軸回転させられ、その回転駆動によって排出部材の半円筒状部が先頭ボトルを周回し、その周回運動によって先頭ボトルが半円筒状部の内凹部から解放され、その結果、先頭のボトルは、傾斜路から滑り落ちて排出される。また、その間、次のボトルは、周回途中の半円筒状部が先頭ボトルとの間に割り込むため、その外周面によって進行を止められ、傾斜路の中にとどまる。それから、一周回を終えて半円筒状部が傾斜路の排出側端部に来たときには、次のボトルが先頭に繰り上がって半円筒状部の内凹部に納まり、常態に戻って、次の順次排出の準備状態が維持される。
【００２１】
このように、ボトルの整列維持と整列前進は傾斜路で行われ、ボトルの逐次排出・順次排出は排出部材の半円筒状部の周回運動で行われ、ボトルが必要なときだけ的確に排出されるが、ボトルの整列吊下を担う傾斜路が板枠の対向端部にて形成されているので、整列保持部が簡素なものとなる。しかも、板枠は、ボトル全体を収納する必要がなくなったため、ボトルを吊り下げて保持しうる横幅と剛性があれば、高さはボトルより低くて良いので、整列保持部が最早カセットと呼べないほどスリムなものとなる。
【００２２】
また、逐次排出を担う半円筒状部は、先頭ボトルを内凹部に納めると言ってもボトル全体を納める必要はなく、せいぜい縊れより上側を内凹部に納め得るものであれば足りるので、ボトルより小さくて良い。しかも、半円筒状部を周回運動させる電動モータ及び排出部材が直結かそれに準じた連結状態で板枠の排出側端部に装着されているので、排出機構も簡素でコンパクトなものとなる。
したがって、この発明によれば、安価で小形のボトルフィーダ及びボトル払出装置を実現することができる。
【００２３】
また、本発明の薬品類払出システムにあっては（解決手段２）、自動のボトル払出装置と半自動の薬品類収納装置とを並設したことで両装置にボトルその他の薬品類の実装を分担させることができるようになっているが、さらに、ボトル払出装置に関して、ボトルの整列維持と整列前進は板枠の対向端部の間の傾斜路への吊下で行われ、ボトルの逐次排出は排出部材の半円筒状部の周回運動にて行われるようにしたことにより、整列保持部がカセットよりもスリムになり、更には秤量部材や付勢部材を個々に設けなくても済むので、機構が簡素化され、ひいてはコストダウンされる。また、半自動の薬品類収納装置については、収納容器の自動前進を利用して収納容器より少数の送光部材にて収納容器それぞれのところを光らせるようにもしたことにより、利便性を損なうことなくコストダウンを進めることができる。
したがって、この発明によれば、上述した薬品類払出システムの第１技術課題（これには薬品類収納装置の技術課題とボトル払出装置の技術課題も含まれる）が解決される。
【００２４】
さらに、本発明の薬品類払出システムにあっては（解決手段３）、自動のボトル払出装置と半自動の薬品類収納装置とを並設したことで両装置にボトルその他の薬品類の実装を分担させることができるようになっているが、さらに、ボトル払出装置から自動で払い出されたボトルは、搬送機構により更に自動で、落し込み空間に移送されて、秤量計に載る。また、薬品類収納装置から半自動で払い出された薬品類は、人手によって、作業台上に揃えられ、確認後に作業台上を滑らせて落し込み空間に移されると、やはり秤量計に載る。
【００２５】
こうして秤量による確認も容易かつ迅速に行われ、さらに目視による調剤監査も必要であれば払出した全薬品類が電子秤から作業台の上に戻されて監査に供される。
したがって、この発明によれば、実装を分担し合う自動のボトル払出装置と半自動の薬品類収納装置とを連携させたうえで、薬品類を払い出したり監査するのに使える作業場所を確保するとともに、その作業の利便性を高める特定空間に秤量計を設置したことにより、上述した薬品類払出システムの第２技術課題が解決される。
【発明を実施するための最良の形態】
【００２６】
このような本発明の薬品類払出システムを実施するための形態を幾つか説明する。以下の実施形態１〜４によれば、上述した半自動の薬品類収納装置の技術課題の解決が更に推し進められる。
【００２７】
本発明の薬品類払出システムの半自動の薬品類収納装置は（実施形態１）、上記解決手段の薬品類払出システムの半自動の薬品類収納装置であって、次の如き具体的構成のものである。即ち、薬品類を収容する多数の収納容器と、それらを前方へ引出可能な状態で縦横に並べて保持する庫部と、前記収納容器それぞれの後方に配設され該当する収納容器を前進させる多数の開駆動機構とを備えた薬品類収納装置において、前記開駆動機構が駆動距離の短いものであり、後退状態の前記収納容器のうち複数のものの前を通過する送光を行う送光部材（発光部材）が設けられ、その送光を受けるとそれを前方へ向ける視覚化手段が前記収納容器それぞれの前端部に形成され又は付設されていることを特徴とする。
ここで、「駆動距離の短い」とは、開駆動機構が該当収納容器を前進させた際、その前進距離が収納容器の奥行き即ち前後方向の長さよりも短いことを意味し、少なくとも半分未満であり、通常は収納容器のうち前端部と認識される部分に係る前後方向の長さ程度に短い。
【００２８】
このような本発明の半自動の薬品類収納装置にあっては（実施形態１）、取出対象に選択された収納容器が該当開駆動機構によって自動前進させられると、その収納容器の前端部が庫部から突き出して、その前端部に送光部材から出た光が当たり、その光が視覚化手段によって前方へ向けられるので、取出対象の収納容器が光ることとなる。他の収納容器が取出対象になったときも同様であり、収納容器それぞれのところが光る。しかも、同じ送光ラインに臨んで配置された収納容器は一つの送光部材を共用するので、そのような収納容器が複数同時に光ることはできないが、そのような使用を必須とする応用さえ避ければ、送光部材の個数が収納容器の個数より少数でも不都合が無い。
【００２９】
光の向きを変えて視認し易くする視覚化手段は、公知の導光部材（特許文献２参照）や，適宜な反射部材，散乱部材を導入したり、あるいは反射面や散乱面を形成する表面処理を施すといったことで、送光部材より安価に具現化できるものである。
したがって、この発明によれば、開駆動機構の駆動距離の短縮化に際して、収納容器より少ない送光部材にて収納容器それぞれのところを光らせるようにもしたことにより、利便性を維持しつつ半自動の薬品類収納装置を安価にすることができる。
【００３０】
また、本発明の半自動の薬品類収納装置は（実施形態２）、上記実施形態１の薬品類収納装置であって、前記開駆動機構がモータ及びその回転軸に取着された偏心カムを具えたものであることを特徴とする。
この場合、駆動距離の短い開駆動機構であれば、市販の量産品を用いる等のことで、十分なコストダウンを達成することができる。
【００３１】
また、本発明の半自動の薬品類収納装置は（実施形態３）、上記実施形態１，２の薬品類収納装置であって、前記収納容器の前板が透明であり、その直ぐ後ろに傾斜面が形成されており、前記視覚化手段が前記傾斜面に置かれた銘板であることを特徴とする。
この場合、収納容器の内部の傾斜面に銘板を置くことで視覚化手段が実装され、その視覚化手段を兼ねる銘板には、表面で光を反射させ且つ散乱させる板状体が採用されるが、これは一般的な白っぽい紙などで良いので、簡便かつ安価に具現することができる。なお、光度の大きな発光素子が安価になれば、視覚化手段の反射率を下げて一部の光は透過して更に直進するよう改造することにより、上述した送光ライン共通の複数収納容器の同時発光も実用化することができる。
【００３２】
また、本発明の半自動の薬品類収納装置は（実施形態４）、上記実施形態１〜３の薬品類収納装置であって、前記収納容器の底板が不透明であり、前記送光部材の送光先に受光部材が設けられ、その受光状態に基づいて前記収納容器の引出状態を判別するようになっている、というものである。
このような本発明の半自動の薬品類収納装置にあっては（実施形態４）、収納容器が庫部から突き出ていると送光が遮られる一方、収納容器が庫部内に後退していれば送光が遮られない。このように収納容器の突出の有無に応じて受光部材の受光状態が変化するので、受光部材の受光状態に基づいて収納容器の自動前進および手動での押し戻しが完遂されたか否かを自動判別することができる。しかも、送光部材と同じく受光部材も複数の収納容器で共用されるので、受光部材も収納容器より少なくて済む。
【００３３】
このような本発明のボトルフィーダ及び払出装置ならびに払出システムについて、これを実施するための具体的な形態を、以下の実施例１〜５により説明する。
図１〜２に示した実施例１は、上述した解決手段１をボトルフィーダ（出願当初の請求項１）として具現化したものであり、図３に示した実施例２は、上述した解決手段１をボトルフィーダ列設タイプのボトル払出装置（出願当初の請求項２）として具現化したものである。
【００３４】
また、実施例３〜５は薬品類払出システムに関し、図４〜６に示した実施例３は、上述した解決手段２〜３（出願当初の請求項３〜５）及び実施形態１〜２を具現化したものであり、図７に示した実施例４は、上述した実施形態３を具現化したものであり、図８に示した実施例５は、上述した実施形態４を具現化したものである。
なお、それらの図示に際しては、簡明化等のため、フレーム等の支持部材や，ボルト等の締結具，ヒンジ等の連結具，モータドライバ等の電気回路，電子回路の詳細などは図示を割愛し、発明の説明に必要なものや関連するものを中心に図示した。また、図中でハッチングを施した部分は断面を示しているが、散点を付した部分は断面でなく部材表面を示している。
【実施例１】
【００３５】
本発明のボトルフィーダの実施例１について、その具体的な構成を、図面を引用して説明する。図１は、ボトルフィーダ１０の構造を示し、（ａ）が平面図、（ｂ）が縦断左側面図、（ｃ）が正面図、（ｄ）が縦断左側面図、（ｅ）が正面図、（ｆ）がフィーダ１０にボトル２０を整列吊下したところの左側面図である。
【００３６】
このボトルフィーダ１０は（図１（ａ）〜（ｃ）参照）、カセット本体に代る簡素でスリムな板枠１１と、排出動作の駆動源としての電動モータ１３と、このモータ１３にて軸回転させられて先頭ボトルの逐次排出・順次排出を担う排出部材１４とを具えている。
フィーダ１０に整列保持されるボトル２０は、例えば衝撃に強いプラスチックからなり、輸液や蒸留水などを収容して密封されており、少なくとも整列保持時には吊り下げに利用しうる縊れが存在している。ボトル本体が縊れていれば整列保持可能であるが、ボトル本体が縊れていなくても、例えばキャップをした状態でキャップ直下等に縊れが発現すれば、やはり整列保持可能である。
【００３７】
板枠１１は、傾斜路１２を形成するため、数゜〜十数゜ほど傾いており、図示は割愛したが、例えば、水平な台上に設置されるような場合は長さの異なる脚材で支持され、棚板や枠棒に装着されるような場合は棚板や枠棒と共に傾けられる。板枠１１は、金属からなる長方形状の板材を折り曲げたり組み合わせたりして、あるいはプラスチックの一体成型などで、断面四辺形の細長い角筒状に形成されているが、その下辺は完全には繋がっておらず、その中央部が開いていて傾斜路１２となっている。
【００３８】
この傾斜路１２は、板枠１１の対向端部１１ａ，１１ｂで両側から挟まれており、板枠１１の長手方向に真っ直ぐ延びて全長に及んでいる。傾斜路１２の幅は、ボトル２０の縊れを遊挿しうるよう、ボトル２０の縊れより大きく、キャップ等の言わば頭部より小さくなっている。ボトル２０の頭部を板枠１１の中空に入れるようにしながらボトル２０の縊れを傾斜路１２に遊挿すると、そしてその縊れを首部と呼べば、ボトル２０が恰も首吊り状態で吊り下げられるようになっている。対向端部１１ａ，１１ｂの上面部分は、板枠１１の中空側を向いていて、吊下状態のボトル２０の滑落する面となるので、摩擦抵抗を下げる必要があれば、例えば四フッ化エチレン等の塗布や貼付が施される。
【００３９】
板枠１１の両端のうち高い方（図１（ａ），（ｂ），（ｆ）では左側）は、ボトル２０の補充口として利用するため、何も装着されず、解放状態になっている。板枠１１の両端のうち低い方（図１（ａ），（ｂ），（ｆ）では右側）には、排出口を選択的に開閉するために排出部材１４が軸回転可能な状態で内装され、それに回転出力軸を連結された電動モータ１３が外装されている。
モータ１３は、例えば市販の扁平タイプの電動モータが採用され、常態ではプッシュスイッチ等の原点センサ１５のオン位置で停止しており、図示しないコントローラから排出指令を受けると、排出部材１４を一回転させるようになっている。
【００４０】
排出部材１４は、例えば金属の切削加工や硬質プラスチックの成型加工などで作られ、上端部が概ね円板状になっている。下端部および中間部は、円筒を軸方向にほぼ二分割してできる形状の半円筒状部１４ａになっている。上端部の中心部がモータ１３の回転出力軸の下端に連結されて、下端部が傾斜路１２に接近して臨んでいる。半円筒状部１４ａの内凹部１４ｂの高さは、ボトル２０の頭部の高さより高い。そして、上述したようなコントローラの制御とモータ１３の間欠駆動とに基づき、常態では（図１（ａ）〜（ｃ），（ｆ）参照）半円筒状部１４ａを排出側にして内凹部１４ｂにて傾斜路１２の中の先頭ボトル２０の頭部を受け止め、作動時には（図１（ｄ），（ｅ）参照）、モータ１３の回転駆動によって半円筒状部１４ａが先頭ボトル２０の頭部を周回することにより、周回途中で先頭ボトル２０を内凹部１４ｂから解放して傾斜路１２から排出するようになっている。
【００４１】
この実施例１のボトルフィーダ１０について、その使用態様及び動作を、図面を引用して説明する。図１（ｆ）は、フィーダ１０にボトル２０を整列吊下したところの左側面図であり、図２は、（ａ）〜（ｃ）何れもフィーダ１０の縦断左側面図であり、排出動作を時系列で示している。
【００４２】
フィーダ１０で取り扱うボトル２０は、上述したように吊下可能な縊れを持ったものであり、輸液や蒸留水などを収容している。そのようなボトル２０を縦にしてその首部分（縊れ）をフィーダ１０の傾斜路１２に高い方（図では左）から遊挿すると、ボトル２０は、頭部が板枠１１の中空に入り、顎部が対向端部１１ａ，１１ｂの上面に乗って、吊り下げられる。その状態で手を離すと、ボトル２０が傾斜路１２を低い方（図では右）へ滑り落ちるが、常態では（図１（ｆ），図２（ａ）参照）、排出部材１４が半円筒状部１４ａを排出側にして内凹部１４ｂにて傾斜路１２の中の先頭ボトル２０を受け止めるので、傾斜路１２を滑り落ちてきたボトル２０は、それが先頭であれば、排出機構１４の斜板部１４ａの内凹部１４ｂに当接して、そこにとどまる。以降のボトル２０は傾斜路１２の中で間を詰めて一列に連なり、総てがフィーダ１０に整列吊下される。
【００４３】
この状態で排出指令が出て、モータ１３が動作し、その回転出力軸に装着された排出部材１４が軸回転すると、先頭ボトル２０が排出部材１４の内凹部１４ｂから解放されて傾斜路１２から落下排出される。詳述すると、排出部材１４が１／４回転したとき（図２（ｂ）参照）、先頭ボトル２０の頭部は、半分ほど排出側（図では右側）に露出するが、この状態では未だ排出部材１４の内凹部１４ｂにとどまっている。アームが更に回転して１／２回転に近づくと（図２（ｃ）参照）、先頭ボトル２０は、頭部が完全に露出し、支えが外れて、傾斜路１２を滑り落ち、排出部材１４から放出される。
【００４４】
それに連れて傾斜路１２の中の次ボトル２０も滑り落ちようとするが、モータ１３の回転駆動によって排出部材１４の半円筒状部１４ａが落下前の先頭ボトル２０の頭部を周回して次ボトル２０との間に割り込んで来ているので、次ボトル２０は頭部を半円筒状部１４ａに押さえられて滑り落ちることができず、そのため次以降のボトル２０は前進を阻まれる。
その後、図示は割愛したが、排出部材１４が３／４回転したころには、先頭ボトル２０の落下が完了して、先頭のボトル２０はフィーダ外に排出される。
【００４５】
こうして、フィーダ１０からボトル２０が逐次排出・順次排出される。そして、排出部材１４が更に回転して１回転を終えると、常態に戻るが（図１（ｆ），図２（ａ）参照）、それまでには、排出部材１４の半円筒状部１４ａが排出側に戻って内凹部１４ｂを傾斜路１２の中のボトル２０に向けるので、二番目から先頭になったボトル２０が傾斜路１２を一個分だけ滑り落ち、内凹部１４ｂに納まって受け止められる。以降のボトル２０も傾斜路１２を滑り落ちて一つずつ位置がずれる。個数は一個減っているが、ボトル２０は整列吊下状態を維持するので、ボトル２０の逐次排出・順次排出を繰り返すことができる。
【実施例２】
【００４６】
本発明の実施例２について、フィーダ列設タイプのボトル払出装置の具体的な構成を、図面を引用して説明する。図３は、（ａ）がボトル払出装置３０の正面図（ＢＢ断面図）、（ｂ）がボトル払出装置３０の側面図（ＡＡ断面図）である。
【００４７】
このボトル払出装置３０は、上述したフィーダ１０をフィーダ格納部に多数格納するとともに（図では４行４列の計１６個）、フィーダ１０の排出側を例えば装置背面に揃えて、そこに落下案内路３１を配したものである。落下案内路３１の下方にはそれと共に収集払出機構を構成する搬送機構３２が配置され、その搬出先には払出口３３が形成されている。
【００４８】
この場合、或るフィーダ１０には例えば輸液ボトル２０が整列吊下され、他のフィーダ１０には例えば蒸留水ボトル２０が整列吊下される。
そして、処方箋データ又は派生した調剤指示箋データに基づき、図示しないコントローラによって適宜なフィーダ１０に排出指令が出されると、それを受けた各々のフィーダ１０から上述したようにしてボトル２０が逐次排出・順次排出される。排出されたボトルは、落下案内路３１を下って搬送機構３２上に落ち、搬送機構３２によって運ばれ払出口３３から装置外へ出される。
こうして、各種のボトルから所望のものが自動で払い出される。
【実施例３】
【００４９】
本発明の薬品類払出システムの実施例３について、その具体的な構成を、図面を引用して説明する。図４（ａ）はシステム全体の正面図である。また、図４（ｂ）及び（ｃ）は半自動の薬品類収納装置１００の構造を示し、図４（ｂ）が正面図、図４（ｃ）が斜視図である。さらに、図５は、半自動の薬品類収納装置２００の機械的構造を示し、（ａ）が装置全体の正面図、（ｂ）が装置全体の斜視図、（ｃ）が収納容器２２０の斜視図、（ｄ）が開駆動機構２３０〜２３３の斜視図、（ｅ）及び（ｆ）が要部の右側面図である。また、図６は、制御部の概要ブロック図である。
【００５０】
この薬品類払出システムは（図４（ａ）参照）、例えばプラスチックからなり輸液や蒸留水などを封入したボトルを逐次排出（順次排出）可能に且つ多列に整列吊下し各列からボトルを自動放出させ下方へ導いて収集する自動のボトル払出装置３０と、ボトル入り薬剤を含む各種の薬剤（薬品類）を収容する多数の収納容器を前方へ引出可能な状態で縦横に並べて保持し後方配設の開駆動機構にて前進させる半自動の薬品類収納装置１００と、やはり各種の薬品類を収容する多数の収納容器を前方へ引出可能な状態で縦横に並べて保持し後方配設の開駆動機構にて前進させる半自動の薬品類収納装置２００とを、その順に並べて隣接設置したものである。
なお、薬品類収納装置１００には搬送機構１６０や作業台１１５が付設されているが、薬品類収納装置２００には付設されていない。
【００５１】
また、ボトル払出装置３０は実施例２において上述したものであり、その筐体内部の最下部に設けられた搬送機構３２と、薬品類収納装置１００の筐体内部の下半部に設けられた搬送機構１６０は、ボトル払出装置３０と薬品類収納装置１００とを貫く一連の搬送路を構成している。
以下、順に、各部を説明する。すなわち、上述したボトル払出装置３０の説明は割愛するが、先ず図４を引用して半自動の薬品類収納装置１００の構成を説明し、次に図５を引用して半自動の薬品類収納装置２００の構成を説明し、さらに図６を引用して制御装置の構成を説明する。
【００５２】
薬品類収納装置１００は（図４（ｂ），（ｃ）参照）、筐体１１１の最上部に開閉シャッター１１２が装備され、手を掛けやすい筐体１１１の上半分には庫部１１４が割り当てられている。庫部１１４は、格子状に区切られて、多段多列（図では１０段８列）の引出枠を成しており、引出枠それぞれの内面が摩擦抵抗の小さい円滑面に仕上げられているので、収納容器２２０を前方へ引出可能な状態ひいては押出も可能な状態で縦横に並べて保持するものとなっている。引出枠には一つずつ開駆動機構２３０〜２３３も付設されているが、開駆動機構２３０〜２３３は収納容器２２０の後方に配置されているので正面からは見えない。庫部２１４の前面上端には送光部材２１３も列設されている。これらは同じ物が薬品類収納装置２００にも装備されているので、その詳細説明は後述する。
【００５３】
薬品類収納装置１００の筐体１１１の下半分は、輸液ボトルや薬品類などの払出作業や監査作業を人手で行うときの作業場に割り当てられており、具体的には、筐体１１１の高さ方向ほぼ中間位置に上面の平坦な板状の作業台１１５が水平設置され、その直上で奥のところには表示器１５０が視認可能に付設され、作業台１１５の両端部のうちボトル払出装置３０から遠い方の端部には作業台１１５の一部を切欠いた形で落し込み空間１１６が形成され、その落し込み空間１１６には秤量計１７０が設置され、作業台１１５の下方には搬送機構１６０が内蔵されている。
【００５４】
落し込み空間１１６は秤量計１７０の高さより十分に深く、作業台１１５と秤量計１７０の秤量皿との中間高さ位置に放出口１１７が開口形成されている。また、筐体１１１の両側面のうちボトル払出装置３０側には受入口１１８が開口形成されており、搬送機構１６０は、その受入口１１８から放出口１１７へ斜め上向きに延びていて、自動のボトル払出装置３０で払い出されたボトルを受入口１１８から受け入れて放出口１１７へ運び更には落し込み空間１１６へ送り込むものとなっている。表示器１５０は、例えば小形の液晶パネル等からなり、払出対象薬剤の数を自動と半自動とに分けて或いは各装置３０，１００，２００に分けて表示できるようになっている。秤量計１７０は、精度が十分で且つ秤量皿が上になっていれば良いが、この例では、秤量値をデータ送信できる電子秤が採用されている。
【００５５】
薬品類収納装置２００は（図５（ａ），（ｂ）参照）、筐体２１１の上部に開閉シャッター２１２が装備され、筐体２１１の下部に引出２１５や電装部２１６が設けられているが、手を掛けやすい大部分には即ち筐体２１１の中間部には庫部２１４が割り当てられている。庫部２１４は、庫部１１４同様、格子状に区切られて、多段多列（図では１７段８列）の引出枠を成しており、引出枠それぞれの内面が摩擦抵抗の小さい円滑面に仕上げられているので、収納容器２２０を前方へ引出可能な状態ひいては押出も可能な状態で縦横に並べて保持するものとなっている。引出枠には一つずつ開駆動機構２３０〜２３３も付設されているが、開駆動機構２３０〜２３３は収納容器２２０の後方に配置されているので正面からは見えない。庫部２１４の前面上端には送光部材２１３も列設されている。
【００５６】
収納容器２２０は（図５（ｃ）参照）、薬品類を収容して引出させるよう奥行きの長い上面解放の箱状体であり、前板２２１は透明であるが、この例では側板２２３や底板２２４が不透明になっている。収納容器２２０内の前端部、具体的には収納容器２２０の内部において前板２２１の直ぐ後ろのところは、底板２２４が盛り上がっていて又は底板２２４上に横倒しの三角柱状部材が装着されていて、傾斜面２２２が形成されている。傾斜面２２２は、磨りガラス状の乱反射面に仕上げられており、これが水平から３０゜〜６０゜程度（図５（ｅ），（ｆ）では約４５゜）傾いて前方斜め上を向いているので、鉛直下方への送光を受けると（図５（ｆ）参照）それを反射散乱光Ａにして前方へ向ける視覚化手段となっている。
【００５７】
開駆動機構２３０〜２３３は（図５（ｄ）参照）、市販の扁平タイプの電動モータ２３０と、その回転軸２３１に取着された偏心カム２３２と、プッシュスイッチ等の原点センサ２３３とを具えている。そして、偏心カム２３２の長径部が原点センサ２３３に接して止まっているときには（図５（ｅ）参照）収納容器２２０を十分に後退可能で庫部２１４内に納まる状態にし、その状態からモータ２３０の回転軸２３１が一回転すると途中で（図５（ｆ）参照）偏心カム２３２の長径部が該当収納容器２２０の後端面を押して収納容器２２０を前進させるようになっている。その前進量すなわち駆動距離は、傾斜面２２２を引出枠から突き出すとともに前板２２１に指を掛けるのに十分な例えば２〜３ｃｍ程度であり、収納容器２２０の奥行き例えば２０〜３０ｃｍ程度より桁違いに短い。
【００５８】
送光部材２１３は（図５（ａ）参照）、指向性が強くてビーム状の光を発する例えば赤色ＬＥＤ（発光ダイオード）が採用され、庫部２１４の引出枠の各列に対し一つずつ設けられて、鉛直下方へ送光するようになっている。そして、上述した収納容器２２０の配置状態と相まって、後退状態の収納容器２２０のうち縦一列分の複数個の前を通過する送光を行うとともに（図５（ｅ）の二点鎖線を参照）、開駆動機構２３０〜３３３の偏心カム２３２にて前進させられた収納容器２２０が前端部を突き出すと（図５（ｂ），（ｆ）参照）傾斜面２２２の受光部位を反射散乱光Ａで光らせる。この送光部材２１３や上述のモータ２３０は次に述べるメインコントローラ３００の自動制御に従って動作するようになっている。
【００５９】
制御装置は（図６参照）、プログラマブルなパーソナルコンピュータ又はマイクロプロセッサシステム等からなるメインコントローラ３００と、いわゆるワンチップマイコン等からなる多数のサブコントローラ３１０，３１１，３１２とを具えたプロセッサ群であり、メインコントローラ３００を中心にスター接続またはＬＡＮ接続されている。メインコントローラ３００は、操作卓が有ればそこに設置しても良く、薬品類収納装置１００の下部やボトル払出装置３０の上部などに格納しても良いが、この例では薬品類収納装置２００の電装部２１６に図示しない電源等と共に格納されている。サブコントローラ３１０は、ボトル払出装置３０内に分散設置され、サブコントローラ３１１は薬品類収納装置１００内に分散設置され、サブコントローラ３１２は薬品類収納装置２００内に分散設置されている。
【００６０】
メインコントローラ３００は、薬品類払出情報に基づき、自動のボトル払出装置３０に対してボトル２０の選択や払出動作の制御を行うとともに、半自動の薬品類収納装置１００，２００に対し、多数の収納容器２２０のうち何れか一つ又は複数のものを選択して多数の開駆動機構２３０〜２３３のうち前記選択に対応するものを作動させる制御を行うものである。どの薬品類を払い出すのかを定めた薬品類払出情報を得るために、破線で図示した処方オーダリングシステム（処方オーダーエントリシステム）等の上位コンピュータから処方データや派生した調剤指示データを受信したり、図示しない入力装置から払出指示を入力しうるようになっている。
【００６１】
薬品類収納装置２００においては、複数のモータ２３０と送光部材２１３とが、サブコントローラ３１２を介してメインコントローラ３００に接続されている。薬品類収納装置１００においては、複数のモータ２３０と送光部材２１３とがサブコントローラ３１１を介してメインコントローラ３００に接続され、更に表示器１５０と搬送機構１６０と秤量計１７０もサブコントローラ３１１を介してメインコントローラ３００に接続されている。ボトル払出装置３０においては、複数のモータ１３がサブコントローラ３１０を介してメインコントローラ３００に接続され、更に搬送機構３２もサブコントローラ３１０を介してメインコントローラ３００に接続されている。
【００６２】
この実施例３の薬品類払出システムについて、その使用態様及び動作を、図面を引用して説明する。
【００６３】
図５は、半自動の薬品類収納装置２００の動作状態等を示し、（ａ）が正面図、（ｂ）が斜視図、（ｅ）及び（ｆ）は、要部の右側面図である。図５（ａ），（ｅ）は、総ての収納容器２２０が押し戻されて庫部２１４内に後退している状態を示し、図５（ｂ），（ｆ）は、右上から２段２列目の収納容器２２０が選択されて自動前進した状態を示している。なお、図５（ｅ），（ｆ）は、図４（ｂ），（ｃ）に示した薬品類収納装置１００の庫部１１４にも共通しており、図４（ｂ），図５（ｅ）は、総ての収納容器２２０が押し戻されて庫部１１４内に後退している状態を示し、図４（ｃ），図５（ｆ）は、左上から２段３列目の収納容器２２０が選択されて自動前進した状態を示している。
【００６４】
使用に先立ち、半自動の薬品類収納装置１００，２００については、それぞれの収納容器２２０に医薬品や医療材料などの薬品類が種類毎に分類して収容される。医薬品としては（特許文献３参照）、上述した補剤や溶解剤が典型例であるが、ＰＴＰ包装剤や，箱物セット薬剤，アンプル等も挙げられる。医療材料としては、骨補綴材や手術用具などが挙げられる。
この薬品類払出システムでは自動のボトル払出装置３０に実装されない薬品類のうち使用頻度の高いものが先ず収納容器２２０に分別保管され、余裕があれば他の薬品類も収納容器２２０に分別保管される。さらに余裕があれば、補充待ち回避等のため、ボトル払出装置３０と重複したボトルの実装も行われる。
【００６５】
このような薬品類を分類収納した収納容器２２０は、何れも、庫部１１４，２１４の各引出枠に押し込み挿入され、その位置が手動操作等にてメインコントローラ３００に入力され薬品マスターファイル等に記憶される。これで半自動の薬品類収納装置１００，２００の準備が調うが、この段階では（図４（ｂ），図５（ａ），図５（ｅ）参照）、収納容器２２０が総て後退状態で閉まっているので、どれも光らない。
【００６６】
自動のボトル払出装置３０についても使用・自動調剤に先立つ準備を行う。繰り返しとなる説明は割愛するが、上述のようにして輸液や蒸留水などの入ったボトル２０を種類分けしてフィーダ１０に整列吊下しておく。使用頻度の多いボトル２０が優先的に実装される。典型例なボトル２０のサイズは、厚みが十数ｍｍで幅が数十ｍｍで長さが数百ｍｍであり、典型的な重量・質量は、数十ｇ〜数百ｇである。
以上で薬品類払出システム使用の準備が調う。
【００６７】
そして、その状態で、メインコントローラ３００に処方箋データや調剤指示データが通信や入力操作にて届けられると、その中から薬品コードや処方数量値が抽出され、それが薬品類払出情報とされる。さらに、その薬品類払出情報に基づき、メインコントローラ３００によって、薬品マスターファイルの検索等が行われ、ボトル払出装置３０から自動で払い出せるボトル２０が有ればそれが先ず選択され、それが駄目でも薬品類収納装置１００，２００から半自動で払い出せる薬品類が有ればそれが選択され、あるいは両者に亘るセットの場合にはボトル２０と共に薬品類も選択され、その払出数が表示器１５０に表示される。
【００６８】
そして、上述のようにして自動のボトル払出装置３０から払出されたボトル２０は、さらに自動で、払出口３３及び受入口１１８を通って薬品類収納装置１００の搬送機構１６０上に移され、搬送機構１６０によって放出口１１７へ運ばれ更に落し込み空間１１６へ送り込まれる。そこで、秤量計１７０の秤量皿に載せられ秤量される。
一方、それと並行して又は単独に、メインコントローラ３００によって、上述した薬品類払出情報に基づき、払出対象・取出対象に薬品類収納装置１００，２００の薬品類が選択された場合、払出対象・取出対象の薬品類を収納している収納容器２２０が選択されるとともに、その後方の開駆動機構２３０〜２３３が作動させられる。そうすると、対象の収納容器２２０は、偏心カム２３２で前方へ押し出されて開く。また、上方の送光部材２１３が点灯する。
【００６９】
その状態では（図４（ｃ），図５（ｂ），（ｆ）参照）、対象の収納容器２２０の前端部が庫部１１４，２１４から突き出て、送光部材２１３から発した光が対象の収納容器２２０の傾斜面２２２に当たり、そこから前方に向けて反射散乱光Ａが出るので、対象の収納容器２２０が光って見える。こうして、取出対象の収納容器２２０が一目瞭然になるとともに口を開けるので、作業者は、その開口から収納容器２２０の前板２２１に指を掛けて収納容器２２０を引き出す。そして、所望の薬品類を取り出し、それから収納容器２２０を押し戻して閉めるとともに、作業履歴を残すためメインコントローラ３００に払出作業完了の入力を行う。すると、それに応じて送光部材２１３が消灯する。
【００７０】
こうして、薬品類収納装置１００，２００に閉塞状態で分別収納した各種の薬品類に関する手作業での払出が容易かつ迅速に行われる。取出は手作業で行われ、表示器１５０の案内に従って薬品類が必要量だけ取り出される。なお、取出は手作業でも、取出対象の選択と前進動作は自動なので、必要な薬剤を容易かつ的確に払出すことができる。また、上述したように、開駆動機構２３０〜２３３がモータ２３０と偏心カム２３２とを組み合わせた簡便な構造であり、送光部材２１３の個数も庫部１１４，２１４の引出枠の列数と同じで収納容器２２０の個数より少ないため、半自動の薬品類収納装置１００，２００は安価に製造することができる。
【００７１】
半自動の薬品類収納装置１００，２００から払出された薬品類は、作業者によって、作業台１１５の上に広げられ、剤種や個数の確認後、作業台１１５上を滑らせて落し込み空間１１６に落とし込まれる。そこで、秤量計１７０の秤量皿に載せられ、ボトル２０と一緒に秤量される。その秤量値は、秤量計１７０にて目視可能に表示されるとともに、秤量計１７０からメインコントローラ３００に信号や通信で報告され、メインコントローラ３００によって、薬品マスターファイルの薬剤単位重量値などに基づき、ボトル数や剤数に換算され、それから処方数量との突き合わせに供され、一致時は表示器１５０に例えばＯＫ表示がなされ、不一致時は表示器１５０に例えばＮＧ表示がなされる。
【００７２】
その判定表示や装置毎の払出数の表示も参照しながら、作業者は、秤量計１７０から作業台１１５上にボトル２０及び薬品類を移して、調剤監査を行うことにより、調剤作業ばかりか監査作業も、容易に進めることができる。
こうして、この薬品類払出システムにあっては、合理的な費用で、多くの薬品類を能率良く調剤し更に監査することができる。
【実施例４】
【００７３】
本発明の半自動の薬品類収納装置の実施例４について、その具体的な構成を、図面を引用して説明する。図７は、（ａ）が収納容器２２０の斜視図、（ｂ）が銘板２２５の正面図、（ｃ）が収納容器２２０の斜視図である。なお、薬品類２５０の具体例として図７（ｃ）には輸液や蒸留水と一緒に用いられることの多い溶解剤や補液等のセット薬剤を図示した。
【００７４】
この薬品類収納装置が上述した実施例３のものと相違するのは、透明プラスチックの一体成型にて収納容器２２０が作られている点と、それに付設される視覚化手段が傾斜面２２２に置かれた銘板２２５にて具現化されている点である。
収納容器２２０は、傾斜面２２２も側板２２３も底板２２４も前板２２１と同じ材料で一体成型で安価に製造することができる。
【００７５】
銘板２２５は、不透明な紙やプラスチックシートで、傾斜面２２２とほぼ同サイズに形成され、少なくとも片面が照射光を散乱させながら反射する粗面になっており、そこには薬品名やコード等が書込や印刷にて記入されている。
この場合、薬品名の記入面を表にして銘板２２５を傾斜面２２２に乗せ置けば、簡便かつ安価に、視覚化手段が収納容器２２０に付設されることとなる。
【実施例５】
【００７６】
図８（ａ）〜（ｃ）に要部の右側面図を示した本発明の半自動の薬品類収納装置が上述した実施例３，４のものと相違するのは、収納容器２２０の底板２２４が不透明になっている点と、送光部材２１３の送光先に受光部材２６０が設けられている点である。図示は割愛したが、メインコントローラ３００が受光部材２６０の受光状態に基づいて各収納容器２２０の引出状態を判別するようにもなっている。
【００７７】
この場合、取出対象の収納容器２２０が開駆動機構２３０〜２３３によって庫部１１４，２１４から突き出されると（図８（ａ）参照）、送光部材２１３から受光部材２６０への送光が収納容器２２０の前端部で遮られ、受光部材２６０が受光できない。
また、薬品類２５０を取り出す際に、収納容器２２０を更に引き出したときも（図８（ｂ）参照）、収納容器２２０が抜き取られない限り、送光部材２１３から受光部材２６０への送光が収納容器２２０の底板２２４で遮られるので、やはり受光部材２６０が受光できない。
【００７８】
これに対し、薬品類２５０を取り終えて、収納容器２２０を押し戻し、収納容器２２０が庫部１１４，２１４内に後退した状態になると（図８（ｃ）参照）、送光部材２１３から受光部材２６０への送光を遮るものが無くなるので、受光部材２６０が受光する。
そして、このような収納容器２２０の突出の有無に応じた受光部材２６０の受光状態の変化がメインコントローラ３００に信号入力され、それらのタイムスタンプがログデータに録られる。
【００７９】
また、モータ２３０を作動させたのに受光部材２６０の受光停止が検出できなければ、収納容器２２０の自動前進が完遂されなかったとメインコントローラ３００によって判定され、適宜なアラームが発せられる。
さらに、薬品類２５０の取出後に、受光部材２６０での受光再開が検出されないうちに払出作業完了の入力があると、メインコントローラ３００によって払出作業が完了していないと判定され、作業者に収納容器２２０の閉塞を促す案内メッセージ等が出される。
【００８０】
［その他］
上記の実施例２では、収集払出機構が、フィーダ１０から前方に排出されたボトル２０を落下させてから水平搬送するようになっていたが、収集払出機構は、これに限られる訳でなく、例えば、フィーダ１０から排出されたボトル２０をＸＹ移動等で受け取りに行き収集後に払出位置へ搬送するようになっていても良く（例えば特許文献４参照）、フィーダ１０から排出されたボトル２０を水平移動させてから落下させて収集するようになっていても良い（例えば特許文献５参照）。
【００８１】
上記の実施例３〜５では、収納容器２２０の形状やサイズが総て同じであったが、異なっていても良い。その場合、偏心カム２３２の高さも収納容器２２０の高さに合わせて変えると良い。偏心カム２３２が収納容器２２０の後端面を押せるようになっていれば、モータ２３０が該当収納容器２２０と同じ高さ範囲に入っている必要もない。
また、送光部材２１３の設置箇所は、上側に限らず、下側や左右であっても良い。送光部材２１３の送光方向も、鉛直下方に限らず、上向きや，横向き，さらには斜めであっても良い。
【００８２】
上記実施例では、制御装置がメインコントローラ３００とサブコントローラ３１０，３１１，３１２との二段構成になっていたが、各払出装置３０，１００，２００毎にローカルコントローラを設けて、メインコントローラ３００とローカルコントローラとサブコントローラ３１０，３１１，３１２との三段構成にしても良い。
上記実施例では、搬送機構１６０としてエスカレータ様の斜めコンベアを図示したが、搬送機構１６０は、エレベータ様のものでも良く、複数タイプの組み合わせでも良い。
上記実施例で、作業台１１５は、放出口１１７の真上で切れていたが、落し込み空間１１６の上へ突き出ていても良い。
薬品類収納装置２００は、薬品類収納装置１００の庫部拡張用であり、薬品類の種類数に応じて適宜増減されるものである。
【図面の簡単な説明】
【００８３】
【図１】本発明の実施例１について、ボトルフィーダの構造を示し、（ａ）が平面図、（ｂ）が縦断側面図、（ｃ）が正面図、（ｄ）が縦断側面図、（ｅ）が正面図、（ｆ）がフィーダにボトルを整列吊下したところの左側面図である。
【図２】ボトルフィーダの排出動作を時系列で示し、（ａ）〜（ｃ）何れも縦断側面図である。
【図３】本発明の実施例２について、自動のボトル払出装置の構造を示し、（ａ）が正面図（ＢＢ断面図）、（ｂ）が側面図（ＡＡ断面図）である。
【図４】本発明の実施例３について、薬品類払出システムの構造を示し、（ａ）がシステム全体の正面図、（ｂ）が半自動の薬品類収納装置の正面図、（ｃ）がその斜視図である。
【図５】半自動の薬品類収納装置の機械的構造等を示し、（ａ）が正面図、（ｂ）が斜視図、（ｃ）が収納容器の斜視図、（ｄ）が開駆動機構の斜視図、（ｅ）及び（ｆ）が要部の右側面図である。
【図６】制御部の概要ブロック図である。
【図７】本発明の実施例４について、半自動の薬品類収納装置の構造を示し、（ａ）が収納容器の斜視図、（ｂ）が銘板の正面図、（ｃ）が収納容器の斜視図である。
【図８】本発明の実施例５について、半自動の薬品類収納装置の構造を示し、（ａ）〜（ｃ）何れも要部の右側面図である。
【符号の説明】
【００８４】
１０…フィーダ（ボトルフィーダ）、
１１…板枠、１１ａ，１１ｂ…対向端部、１２…傾斜路、１３…モータ、
１４…排出部材、１４ａ…半円筒状部、１４ｂ…内凹部、１５…原点センサ、
２０…ボトル、３０…ボトル払出装置（自動）、
３１…落下案内路、３２…搬送機構、３３…払出口、
１００…薬品類収納装置（半自動）、
１１１…筐体、１１２…シャッター、１１４…庫部、
１１５…作業台、１１６…落し込み空間、１１７…放出口、
１１８…受入口、１５０…表示器、１６０…搬送機構、１７０…秤量計、
２００…薬品類収納装置（半自動）、
２１１…筐体、２１２…シャッター、２１３…送光部材、
２１４…庫部、２１５…引出、２１６…電装部、２２０…収納容器、
２２１…前板、２２２…傾斜面、２２３…側板、２２４…底板、
２２５…銘板、２３０…モータ、２３１…回転軸、２３２…偏心カム、
２３３…原点センサ、２５０…薬品類、２６０…受光部材、
３００…メインコントローラ、３１０，３１１，３１２…サブコントローラ
【図１】
0004540558.tif 000002
【図２】
0004540558.tif 000003
【図３】
0004540558.tif 000004
【図４】
0004540558.tif 000005
【図５】
0004540558.tif 000006
【図６】
0004540558.tif 000007
【図７】
0004540558.tif 000008
【図８】
0004540558.tif 000009